(57)【特許請求の範囲】
【請求項１】
支柱（１１）で支持された患者支持部を備えており、支柱（１１）が、少なくとも２つの基部アーム（１２、１４）を有する足部（１０）を備えており、これらの基部アームが、互いに隣接して配置されかつ患者支持部（１５）の長手方向に延在する、手術台であって、
基部アーム（１２、１４）の間の間隔が変更可能であり、
各基部アーム（１２、１４）は、基部アームの間に配置される基部（１６）へと移動可能な支持部材（３８、４０）を備えることを特徴とする手術台。
【請求項２】
基部アーム（１２、１４）は、基部アーム（１２、１４）の２つの隣接する外側端部の間の間隔が増大するように調節可能であることを特徴とする請求項１記載の手術台。
【請求項３】
基部アーム（１２、１４）は、枢支されることを特徴とする請求項１または２記載の手術台。
【請求項４】
各基部アーム（１２、１４）は、垂直軸線（Ａ）を中心として枢動可能であり、基部アーム（１２、１４）を枢動させる駆動装置（２６、２８、３４、３６）が枢動軸線の付近に配置されることを特徴とする請求項１〜３の少なくとも１つに記載の手術台。
【請求項５】
基部アーム（１２、１４）は、実質的に平行な位置から基部アームが、特に約１０°〜約４０°となる鋭角をなす位置へと調節可能であることを特徴とする請求項１〜４の少なくとも１つに記載の手術台。
【請求項６】
基部アーム（１２、１４）は、単一のスピンドル（２８）によって枢動可能であることを特徴とする請求項１〜５の少なくとも１つに記載の手術台。
【請求項７】
患者支持部（１５）は、２つの基部アーム（１２、１４）の間の空間へと下方へ折りたたみ込み可能である支持部品（１５ｃ）を備えることを特徴とする請求項１〜６の少なくとも１つに記載の手術台。
【請求項８】
基部アーム（１２、１４）は、互いに平行な位置から広がった位置へと移動可能な２つの横材であることを特徴とする請求項１〜７の少なくとも１つに記載の手術台。
【請求項９】
基部アーム（１２、１４）は、基部（１６）に枢着されることを特徴とする請求項１〜８の少なくとも１つに記載の手術台。
【発明の詳細な説明】
【技術分野】
【０００１】
本発明は、請求項１の前置き部分に従う手術台に関し、手術台は、支柱で支持された患者支持部を備えており、支柱は、少なくとも２つの基部アームを有する足部を備えており、これらの基部アームは、互いに隣接して配置されかつ患者支持部の長手方向に延在する。この点に関連して、基部アームには、足部が設けられており、この足部は、固定可能または調節可能であるか、あるいは、キャスタの形態でも形成可能である。
【背景技術】
【０００２】
基部アームが存在するため患者への接近が制限されることは、このような手術台を用いた手術で問題になることがある。例えば婦人科の手術などいくつかの手術では、患者支持部の脚部用板を折りたたむことはさらに、基部アームによって妨げられる。
【発明の概要】
【発明が解決しようとする課題】
【０００３】
本発明の目的は、患者への接近が向上するように上述した名称どおりの種類の手術台をさらに発展させることである。
【課題を解決するための手段】
【０００４】
上述の目的は、請求項１の特徴によって、特に、基部アームの間の間隔が変更可能であるので達成される。
【０００５】
本発明によれば、基部アームは従って、不動に取り付けられていず、基部アームの間の間隔は、むしろ変更可能であり、それによって、基部アームの間の自由空間が、それらの端部間で、すなわち、足部が取り付けられている位置で増大可能である。その結果、基部アームが邪魔にならないので患者支持部の部品が床のすぐ上まで下方へと折りたたみ可能となり、患者への接近が大幅に向上する。
【０００６】
本発明の有利な実施例は、発明の詳細な説明、図面、および従属請求項に記載される。
【０００７】
第１の有利な実施例によれば、基部アームは、基部アームの２つの隣接する外側端部の間の間隔が増大するように調節可能である。これは例えば、２つの基部アームが枢支されるので実現可能となる。相対的な間隔は、所望の自由空間が得られるように基部アームを枢動させることによって簡単な方法で変更可能となる。
【０００８】
さらなる有利な実施例によれば、各基部アームは、垂直軸線を中心として枢動可能であり、基部アームを枢動させる駆動装置が枢動軸線の付近に配置される。この実施例では、かさばらない配置が提供される。
【０００９】
さらなる有利な実施例によれば、基部アームは、実質的に平行な位置から基部アームが、特に約１０°〜約４０°となる鋭角をなす位置へと調節可能である。この点に関連して、基部アームは、互いに平行な位置から広がった位置へと移動可能な２つの横材として形成可能である。
【００１０】
基部アームが、単一のスピンドルによって枢動可能で、それによって例えば、２つの基部アームの同時の枢動がモータの助けを借りてスピンドルを駆動することによって可能となるならば、それは有利になり得る。この目的で、スピンドルは、互いに反対の枢動が可能となるように左ねじと右ねじを有することができる。
【００１１】
各基部アームが、基部アームの間に配置される基部へと移動可能な支持部材を有するならば、それは良好な安定性にとって有利になり得る。その結果、手術台の安定な支持部が、支持部材の平行な位置と広がった位置両方で達成される。
【００１２】
本発明は、有利な実施例および添付の図面を参照して単なる例として以下に説明される。図面は以下の通りである。
【図面の簡単な説明】
【００１３】
【図１】２つの基部アームが平行な位置にある、手術台の足部の斜視図である。
【図２】基部アームが広がった位置にある、図１の足部を示す図である。
【図３】図１および図２の足部の一部の背面斜視図である。
【図４】支持部品が下方へと折りたたまれた手術台の斜視図である。
【発明を実施するための形態】
【００１４】
図４は、手術台の斜視図を示しており、より効果的な図とするために、さまざまな部材や外装部品は図示していない。手術台は、患者支持部１５を備えており、患者支持部１５は、図示の実施例では、横たわる面を形成するように一列に並んで配置可能である合計３つの支持部品１５ａ、１５ｂ、１５ｃを備える。患者支持部１５は、本質的に既知の方法で支柱１１の上に取り付けられており、支柱１１は次いで足部１０によって支持されており、足部１０は、図１〜図３に関連してより詳細に説明される。
【００１５】
図１〜図３に示される足部１０は、図示の実施例では、合計２つの基部アーム１２、１４を備えており、基部アーム１２、１４は、互いに平行に配置され、足部枠部１６に取り付けられている。折りたたみ可能なキャスタ１８が、２つの基部アーム１２、１４の４つの端部のそれぞれに配置されており、図面では、１つのキャスタ１８だけが示されている。キャスタ１８は、本質的に既知の方法でキャスタ車輪として形成され、手術台の移動のために下方へと折りたたみ可能である。キャスタを上げた後で足部は４つの支持部２０の上に位置するが、そのうち２つの支持部２０だけが図３では認められる。
【００１６】
図１では、２つの基部アーム１２、１４は、中空の横材として形成されており、互いに平行に延在したそれらの平行な位置で示されている。２つの基部アームは、この平行な位置から図２に示される広がった位置へと枢動可能である。この目的で、２つの基部アーム１２、１４は、それぞれボルト２２、２４（図３参照）を介して足部枠部１６に枢着され、それによって、各基部アーム１２、１４は、垂直軸線Ａを中心として平行な位置から広がった位置へと枢動可能となる。この点に関連して、ボルト２２、２４は、基部アームのための垂直枢動軸線Ａを形成する。その結果、基部アームの間の間隔、特に２つの基部アーム１２、１４の外側端部の間の間隔が変更可能となる。２つの基部アームが平行な位置から広がった位置へと移動すると、２つの基部アーム１２、１４の間の利用可能な空間１７（図４参照）が増大する。
【００１７】
２つの基部アームの移動用に最も多様な駆動手段が考えられる。例えば、空気圧式、液圧式、または電気式の駆動装置が、この目的のために使用可能である。図示の実施例では、２つの基部アーム１２、１４を枢動させる単一の駆動装置が設けられており、この駆動装置は、２つのボルト２２、２４によって形成される枢動軸線Ａの付近に配置される。図３に示されるように、駆動装置は、スピンドル２８を駆動するモータ２６を備えており、スピンドル２８には、一端に右ねじが設けられ、他端に左ねじが設けられている。さらに、軸受３０が、足部枠部１６のスリット部に配置された垂直アセンブリ板３２を介して保持され、スピンドル２８に設けられている。その結果、スピンドル２８のさらなる安定化が達成され、スピンドル２８は、その両端でそれぞれスピンドルナット３４、３６と協同する。両スピンドルナット３４、３６は、それぞれ基部アーム１２、１４で垂直枢動軸線を中心として枢支される。このような仕方で、スピンドル２８は、モータ２６を駆動することによって回転可能となり、それによって、２つのスピンドルナット３４、３６が、互いに近づいたり離れたりし、次いで、２つの基部アーム１２、１４がそれらの広がった位置（図２）または平行な位置（図１）へと移動するという効果を有する。
【００１８】
平行な位置および広がった位置の両方の位置で手術台の位置の安定性を確保するために、各基部アーム１２、１４は、足部枠部１６へと延在しかつ足部枠部に設けられた開口部を通って延在する支持部材３８、４０を備える。
【００１９】
図示の実施例では、中央支持部品１５ｂは、支柱１１の上に配置されており、支持部品１５ｃとほぼ丁度同じ大きさであり、頭部用部品を形成する支持部品１５ａは、２つの支持部品１５ｂ、１５ｃのほぼ半分の大きさである。支持部品１５ａは、位置決めシリンダ１９ａを介して下方へと折りたたみ可能である。同様に、支持部品１５ｃは、位置決めシリンダ１９ｃを介して図４に示される垂直位置へと下方へ折りたたみ込み可能である。
【００２０】
図４に示されるように、２つの基部アーム１２、１４は広がった位置で、２つの基部アーム１２、１４の間の空間１７によって支持部品１５ｃが２つの基部アームの間の空間１７に折りたたみ込まれることができるほど、それらの両端が大きく離れる。
【００２１】
従って、中央支持部品１５ｂとほぼ同じ長手方向の大きさを有する比較的長い足部用支持部品１５ｃが設けられているとはいえ、足部用支持部品１５ｃは、外科医の妨げとならないように垂直方向へと完全に折りたたみ込むことが可能である。
【００２２】
図４にさらに示すように、中央支持部品１５ｂは、折りたたみ可能な支持部品１５ｃに面するその端面に、中央切り欠き部２１を有しており、中央切り欠き部２１は、外科医に、特に婦人科の手術のために、さらなる自由空間を与える。
【図１】
0005876256.tif 000002
【図２】
0005876256.tif 000003
【図３】
0005876256.tif 000004
【図４】
0005876256.tif 000005